(57)【特許請求の範囲】
【請求項１】
複数の生活協同組合の連合体より成る生活協同組合連合会が発行する複数種の商品カタログのいずれかと、ＯＣＲ用紙、商品のお届け明細書、請求書、振込用紙を一括してラッピングするフィルム・ラッピングシステムであって、
前記ＯＣＲ用紙は、次回の商品およびカタログを注文する用紙であって、ＯＣＲ用紙の表面に、発行号、ＯＣＲ用紙の提出日、該ＯＣＲ用紙に基づいて注文する商品の配達日、並びに氏名記入部および配送センター名記入部を備えた氏名表示欄を設けて、所定事項を印刷表示すると共に、組合員番号をバーコードとして印刷表示し、
且つ、前記ＯＣＲ用紙の表面には、商品を配達するコースとその配送順番を表示するコース記入部と、組合員が複数名で共同購入する場合に表示するグループ名記入部および組合員番号記入部を設けて、所定事項を印刷表示し、
且つ、前記ＯＣＲ用紙の表面には、次回のＯＣＲ用紙の配送時に配送を所望する商品カタログを選択するカタログ選択欄を印刷表示すると共に、オプションカタログ選択欄および手書きで組合員番号を記入する生協記入欄を印刷表示し、
且つ、前記ＯＣＲ用紙の表面には、前記カタログに記載された商品の商品番号、商品名、価格を印刷表示すると共に、組合員が注文数量を記入する注文数量記入部を一体に設けた商品注文欄を印刷表示し、
前記ＯＣＲ用紙の裏面には、商品注文欄が印刷表示されると共に、該商品注文欄の下方部には、配布カタログから更に任意に商品を追加選択する追加商品注文欄を印刷表示して形成され、
前記商品のお届け明細書は、シートに商品の配達日を印刷表示し、且つ組合員氏名、住所、組合員番号、グループ名、配送センター名、コース番号、頁等を記載する必要事項記載欄に所定事項を印刷表示すると共に、組合員番号をバーコードとして印刷表示し、且つ前記シートには、最終頁であるか否かを確認するバーコードを印刷表示して形成され、
前記請求書は、シートに組合員番号がバーコードとして印刷表示されると共に、諸事項記入欄に、組合員の住所・氏名記入部、組合員番号記入部、グループ名記入部、配送センター名記入部、請求年月日記入部、支払期限と支払方法記入部および当月の利用額等の支払明細記入部とがそれぞれ設けられると共に、請求明細記入欄に利用明細記入部と、購入金額記入部とをそれぞれ設けて所定事項を印刷表示する一方、前記シートには、最終頁であるか否かを確認するバーコードを印刷表示して形成され、
前記振込用紙は、シートに郵便振込用紙が印刷され、且つ前記シートには組合員番号をバーコードとして印刷表示すると共に、最終頁であることを示すバーコードを印刷表示して形成される一方、
前回発行のＯＣＲ用紙の記載に基づき、配布する商品カタログを各組合員ごとにそれぞれ選択して、該商品カタログを搬送ラインでフィルムラッピング機まで搬送し、その間に前記ＯＣＲ用紙、必要時に商品のお届け明細書と共に、請求書および振込用紙をそれぞれセットした丁合機を介して順に前記搬送ライン上にシュートする一方、前記ＯＣＲ用紙・商品のお届け明細書・請求書および振込用紙にそれぞれ印刷表示された組合員番号のバーコードを、搬送ライン中に設置されたバーコードリーダーが読取って、当該組合員のＯＣＲ用紙が搬送ライン上にシュートされたことを制御装置へ発信し、該情報を得た前記制御装置の指令により、当該組合員の商品のお届け明細書、請求書および振込用紙の搬送ライン上へのシュートの指示をし、更に、前記商品のお届け明細書・請求書および振込用紙に印刷表示された最終頁であるか否かを確認するバーコードを、搬送ライン中に設置されたバーコードリーダーで読取り、前記最終頁であることを示すバーコードを読取るまで、該商品のお届け明細書・請求書および振込用紙を最終頁まで、各組合員ごとにそれぞれ搬送ライン上にシュートさせて、前記各書類を重合し、該重合した各組合員ごとの書類をフィルムでラッピングし、または前記ラッピングした袋が共同購入の場合、共同購入者全員の袋をそれぞれ一体にのり付けして、配送センターごとに複数冊を結束することを特徴とする生活協同組合の組合員に送付する商品カタログ、ＯＣＲ用紙、商品のお届け明細書、請求書および振込用紙のフィルム・ラッピングシステム。
【発明の詳細な説明】
【０００１】
【発明の属する技術分野】
本発明は、生活協同組合が組合員から予め注文を受けて、商品を受注販売する場合、組合員の所望する商品カタログ、商品の注文や所望カタログを記入するＯＣＲ用紙、商品のお届け明細書、請求書および振込用紙を一括してフィルム・ラッピングするシステムに関するものである。そして、前記フィルム・ラッピングされたＯＣＲ用紙、商品のお届け明細書、請求書および振込用紙や商品カタログ等は、商品と共に、組合員に配送される。
【０００２】
【従来の技術】
従来、生活協同組合がその販売する商品を組合員から受注して販売する場合は、商品を収納したダンボール箱等の通い函内に、商品のお届け明細書、請求書および次回購入商品を組合員に選択させるための商品カタログおよびそのＯＣＲ用紙を一緒に収納して組合員に納品していた。そして、前記商品カタログは一種類しか発行されていなかった。
【０００３】
【発明が解決しようとする課題】
しかしながら、前記従来の商品カタログ、ＯＣＲ用紙、請求書、商品のお届け明細書等の書類は、それぞれ手作業で仕分けして商品を収納したダンボール箱等の通い函内に入れていたが、仕分けに手間がかかり、且つ間違いも多く能率的ではないという課題があった。
【０００４】
本発明は、前記課題を解決すべくなされたもので、生活協同組合がその販売に係る商品を組合員に配送する際、予め組合員から提出されたＯＣＲ用紙の記入情報をＯＣＲリード機で読取り、これを複数の生活協同組合の連合体より成る生活協同組合連合会のホストコンピュータに入力蓄積し、該各組合員の情報に基づいて組合員の所望する商品が掲載された商品カタログおよびその他の必要な書類をフィルム・ラッピングして封入して、配送する商品と共に、送付できるようにする生活協同組合の組合員に送付する商品カタログ、ＯＣＲ用紙、商品のお届け明細書、請求書および振込用紙のフィルム・ラッピングシステムを提供しようとするものである。
【０００５】
【課題を解決するための手段】
本発明は、複数の生活協同組合の連合体より成る生活協同組合連合会が発行する複数種の商品カタログのいずれかと、ＯＣＲ用紙、商品のお届け明細書、請求書、振込用紙を一括してラッピングするフィルム・ラッピングシステムであって、
前記ＯＣＲ用紙は、次回の商品およびカタログを注文する用紙であって、ＯＣＲ用紙の表面に、発行号、ＯＣＲ用紙の提出日、該ＯＣＲ用紙に基づいて注文する商品の配達日、並びに氏名記入部および配送センター名記入部を備えた氏名表示欄を設けて、所定事項を印刷表示すると共に、組合員番号をバーコードとして印刷表示し、
且つ、前記ＯＣＲ用紙の表面には、商品を配達するコースとその配送順番を表示するコース記入部と、組合員が複数名で共同購入する場合に表示するグループ名記入部および組合員番号記入部を設けて、所定事項を印刷表示し、
且つ、前記ＯＣＲ用紙の表面には、次回のＯＣＲ用紙の配送時に配送を所望する商品カタログを選択するカタログ選択欄を印刷表示すると共に、オプションカタログ選択欄および手書きで組合員番号を記入する生協記入欄を印刷表示し、
且つ、前記ＯＣＲ用紙の表面には、前記カタログに記載された商品の商品番号、商品名、価格を印刷表示すると共に、組合員が注文数量を記入する注文数量記入部を一体に設けた商品注文欄を印刷表示し、
前記ＯＣＲ用紙の裏面には、商品注文欄が印刷表示されると共に、該商品注文欄の下方部には、配布カタログから更に任意に商品を追加選択する追加商品注文欄を印刷表示して形成され、
前記商品のお届け明細書は、シートに商品の配達日を印刷表示し、且つ組合員氏名、住所、組合員番号、グループ名、配送センター名、コース番号、頁等を記載する必要事項記載欄に所定事項を印刷表示すると共に、組合員番号をバーコードとして印刷表示し、且つ前記シートには、最終頁であるか否かを確認するバーコードを印刷表示して形成され、
前記請求書は、シートに組合員番号がバーコードとして印刷表示されると共に、諸事項記入欄に、組合員の住所・氏名記入部、組合員番号記入部、グループ名記入部、配送センター名記入部、請求年月日記入部、支払期限と支払方法記入部および当月の利用額等の支払明細記入部とがそれぞれ設けられると共に、請求明細記入欄に利用明細記入部と、購入金額記入部とをそれぞれ設けて所定事項を印刷表示する一方、前記シートには、最終頁であるか否かを確認するバーコードを印刷表示して形成され、
前記振込用紙は、シートに郵便振込用紙が印刷され、且つ前記シートには組合員番号をバーコードとして印刷表示すると共に、最終頁であることを示すバーコードを印刷表示して形成される一方、
前回発行のＯＣＲ用紙の記載に基づき、配布する商品カタログを各組合員ごとにそれぞれ選択して、該商品カタログを搬送ラインでフィルムラッピング機まで搬送し、その間に前記ＯＣＲ用紙、必要時に商品のお届け明細書と共に、請求書および振込用紙をそれぞれセットした丁合機を介して順に前記搬送ライン上にシュートする一方、前記ＯＣＲ用紙・商品のお届け明細書・請求書および振込用紙にそれぞれ印刷表示された組合員番号のバーコードを、搬送ライン中に設置されたバーコードリーダーが読取って、当該組合員のＯＣＲ用紙が搬送ライン上にシュートされたことを制御装置へ発信し、該情報を得た前記制御装置の指令により、当該組合員の商品のお届け明細書、請求書および振込用紙の搬送ライン上へのシュートの指示をし、更に、前記商品のお届け明細書・請求書および振込用紙に印刷表示された最終頁であるか否かを確認するバーコードを、搬送ライン中に設置されたバーコードリーダーで読取り、前記最終頁であることを示すバーコードを読取るまで、該商品のお届け明細書・請求書および振込用紙を最終頁まで、各組合員ごとにそれぞれ搬送ライン上にシュートさせて、前記各書類を重合し、該重合した各組合員ごとの書類をフィルムでラッピングし、または前記ラッピングした袋が共同購入の場合、共同購入者全員の袋をそれぞれ一体にのり付けして配送センターごとに複数冊を結束するという手段を採用することにより、上記課題を解決した。
【０００６】
【発明の実施の形態】
本発明は、生活協同組合が組合員から予め注文を受けて商品を販売する場合、組合員が買い求めた商品と共に、各組合員ごとに送付される商品カタログ、次回の商品およびカタログを注文するＯＣＲ用紙、商品のお届け明細書、請求書および振込用紙を一括して封入するフィルム・ラッピングシステムである。
【０００７】
生活協同組合においては、その組合員に対して商品カタログを送付して、商品の注文を受け、その注文された商品、商品のお届け明細書、請求書および振込用紙と共に、次回購入したい商品を捜すための所望する商品カタログおよびその注文用紙を送付している。
【０００８】
そして、組合員数が極めて多い現在においては、各組合員の数によって、所望する商品カタログも複数種あり、更にその商品カタログに合わせて作成された注文用紙も同一形式にして送付する必要がある。本発明は、これら注文商品と共に送付するカタログ、ＯＣＲ用紙、商品のお届け明細書、請求書および振込用紙をすべて、コンピューター制御により各組合員ごとに間違えることなく、且つ迅速にフィルムに一括してラッピングするシステムである。以下に詳細に説明する。
【０００９】
本発明は、商品情報を掲載した商品カタログを、例えば年令層、家族構成等に応じて複数種作成し、該複数の各カタログ中、予め注文された組合員の所望するカタログと、生活協同組合が販売促進用に任意に選択して同封するカタログ、次回の所望カタログ選択欄および商品購入欄等を設けたＯＣＲ用紙、今回送付する商品のお届け明細書、請求書、振込用紙を一括してラッピングするフィルム・ラッピングシステムである。
【００１０】
以下、本発明につき、図面に基づいて詳細に説明するが、説明の便宜上、複数の生活協同組合（以下会員生協と略称する）の連合体より成る生活協同組合連合会（以下連合会と略称する）が、企画して各会員生協に共通する統一商品カタログ、商品およびカタログを注文する際に使用するＯＣＲ用紙、商品のお届け明細書、請求書および振込用紙を作成するものとして説明する。
【００１１】
先ず、連合会において各会員生協からの要望等を参考にして、例えば食料品について、自然食を中心とする商品カタログ（便宜上、カタログ題号を「Ｋｉｎａｒｉ」と称する）、旨さにこだわった商品カタログ（便宜上、カタログ題号を「ＹＵＭ  ＹＵＭ」と称する）、そして量・値段にこだわった商品カタログ（便宜上、カタログ題号を「マイキッチン」と称する）を企画して作成する。前記各カタログには、各カタログに特有の記事の外に、汎用のカタログに共通する商品の写真と、商品名、商品番号および価格が表示されている。
【００１２】
そして、前記各商品カタログに対応して、ＯＣＲリード機にて読取り可能なように、それぞれ同一形式で商品およびカタログを注文する際に使用するＯＣＲ用紙１を作成する。前記ＯＣＲ用紙１の表面１ａおよび裏面１ｂは、特に限定する必要はないが、好ましくは、図１および図２に図示のように作成される。前記ＯＣＲ用紙１は、前記３種類の商品カタログにそれぞれ対応して作成されており、その形式は全く同一であるので、ここでは商品カタログ「Ｋｉｎａｒｉ」に対応するＯＣＲ用紙１について説明する。
【００１３】
すなわち、図１に示すようにＯＣＲ用紙１の表面１ａの左上方に、商品カタログ「Ｋｉｎａｒｉ」に関するＯＣＲ用紙であることを表示する表題欄２が設けられている。前記表題欄２には、ＯＣＲ用紙１の発行号３、ＯＣＲ用紙１の提出日４、このＯＣＲ用紙１に基づいて注文した商品の配達日５が合わせて印刷表示できるようになっている。
【００１４】
前記表題欄２の下方部には、氏名等表示欄６が設けられている。前記氏名等表示欄６には、氏名記入部７、商品を配送する配送センター名を印刷表示する配送センター名記入部８およびそのセンターの電話番号記入部９があり、それぞれ印刷表示され、更に前記ＯＣＲ用紙１の表面１ａ上部には、組合員番号がバーコード１０として印刷表示される。
【００１５】
前記ＯＣＲ用紙１の表面１ａの最上段には、コース記入部１１とグループ名記入部１２とが設けられている。コース記入部１１は、商品を配送するコースとその配送順番が数値で印刷表示される。前記グループ名記入部１２は、組合員が複数名共同で商品を購入する場合に使用する。組合員が商品を個人で購入するか、または組合員が複数名共同で購入するかは、連合会のホストコンピュータに蓄積された個人・グループ情報により識別できる。そして、前記連合会のホストコンピュータに蓄積された個人・グループ情報に基づき、共同購入の場合、前記グループ名記入部１２に、連合会が付与した番号と、前記共同購入者が適宜付けた名称等がグループ情報として一体に印刷表示されるが、個人購入の場合は印刷表示されない。また、コース記入部１１とグループ名記入部１２の下方には、組合員番号記入部１３が設けられており、組合員番号を印刷表示する。
【００１６】
更に、前記ＯＣＲ用紙１の表面１ａの上方には、次回のＯＣＲ用紙１の配送時に配送を所望する商品カタログを選択するカタログ選択欄（図１においては、「商品案内変更登録」と表示されている）１４が設けられている。カタログ選択欄１４に、該カタログ選択欄１４の右側のカタログ名表示欄１５に表示された前記３種類の商品カタログ名に付記された数値を組合員が適宜記入することにより、次回所望する商品カタログを組合員が自由に選択することができるようになっている。次回も変更がない場合は、該カタログ選択欄１４は空欄にしておく。
【００１７】
そして、前記カタログ名表示欄１５の右側には、その他の商品カタログを所望する場合に記入するオプションカタログ選択欄１６が設けられている。図１においては、前記３種類の商品カタログの他に、２種類の商品カタログ名が表示されている。この商品カタログは、便宜上「Ｆｏｒ  Ｂａｂｙ」と、「ぷれーんぺーじ」と称する。更に、前記オプションカタログ選択欄１６の右側には、手書きで組合員番号を記入する生協記入欄１７が設けられている。
【００１８】
前記ＯＣＲ用紙１の表面１ａの前記各欄の下方部には、前記「Ｋｉｎａｒｉ」のカタログに記載された商品の商品番号１８、商品名１９、価格２０を印刷表示すると共に、組合員が注文数量を記入する注文数量記入部２１を一体に設けた商品注文欄２２が複数段に亘って形成されている。なお、商品が多い場合は、図２に示すように、前記ＯＣＲ用紙１の裏面１ｂに形成してもよい。
【００１９】
図２に示すＯＣＲ用紙１の裏面１ｂの左上方には、前記表面１ａと同様に、商品カタログ「Ｋｉｎａｒｉ」に関する商品注文用紙であることを表示する表題部２が設けられ、更に商品注文欄２２が複数段に亘って形成されると共に、該商品注文欄２２の下方部には、配布カタログから更に任意に商品を追加選択できるよう追加商品注文欄２３（本発明の実施の形態においては、６桁の商品番号記入欄が表示されている）が設けられている。
【００２０】
次に、会員生協への新規加入者がＯＣＲ用紙１に印刷表示されるまでの経緯について説明する。会員生協に新規加入すると、先ず新規加入者に会員生協への加入書に必要事項を記入してもらうと共に、ＯＣＲ用紙１の氏名等表示欄６の氏名記入部７と、新規加入者の所望する商品カタログに付された数値をカタログ選択欄１４に、更に前記２種類のオプションカタログの両方、またはいずれかを所望する場合は、その旨（図１では数値）をオプションカタログ選択欄１６に手書きで記入してもらう。そして、前記加入書を基にして会員生協で加入登録をすると、連合会のホストコンピュータにより組合員番号が付与される。
【００２１】
次に、前記新規加入者の手書きＯＣＲ用紙１の生協記入欄１７に、会員生協の担当者が前記組合員番号を手書きで記入して、ＯＣＲリード機に通すことにより、該ＯＣＲ用紙１の手書き記入部をＯＣＲリード機が読取り、該手書き記入部を印刷表示できるようになっている。その際、印刷表示されるＯＣＲ用紙１は、前記３種類の商品カタログから新規加入者が選択したいずれかの商品カタログの題号が表題欄２に表示されたものを使用し、且つ生協記入欄１７に表示された手書きの会員番号は、組合員番号記入欄１３に印刷表示されると共に、前記組合員番号がバーコード１０として印刷表示される。
【００２２】
更に、前記コース記入部１１に配送コースと順番が数値で印刷表示され、且つグループ購入の場合は、連合会が付与した番号と、共同購入者が適宜付けた名称がグループ名記入部１２に印刷表示され、且つ提出日４、配達日５欄にも月日が印刷表示されてＯＣＲ用紙１が完成する。
【００２３】
新規加入者へは、第１回目は前記ＯＣＲ用紙１と、選択された商品カタログ、および後述するその他のカタログがラッピングされて送付される。第１回目は納品される商品はないため、商品のお届け明細書、請求書および振込用紙はラッピングされない。継続会員で購入商品がない場合も、当然ながら商品のお届け明細書、請求書および振込用紙はラッピングされない。
【００２４】
而して、前記ＯＣＲ用紙１および商品カタログを受取った組合員（新規加入者および継続会員）は、該商品カタログを参照して所望する商品を選択し、その数量をＯＣＲ用紙１の商品注文欄１７中の記入部１６および追加商品注文欄２３に記入し、更に次回配布を所望する商品カタログをカタログ選択欄１１で選択すると共に、オプションカタログ選択欄１２でオプションカタログを選択する。そして、前記記入を終えたＯＣＲ用紙１は提出期限までに会員生協の職員が回収する。なお、前記カタログ選択欄１１で選択しなかった場合、商品カタログは前回と変更ないものと判断される。
【００２５】
前記各会員生協が各組合員より回収したＯＣＲ用紙１は、ＯＣＲリード機によって読取られて、前記各組合員ごとに、商品注文情報およびカタログ注文情報として連合会のホストコンピュータに入力蓄積される。
【００２６】
そして、前記連合会のホストコンピュータに入力された各組合員の商品注文情報は、商品セットセンターにオンライン情報として送付され、商品セットセンターにおいて組合員ごとに商品の選別をして、各組合員ごとに通い函に収納する。なお、共同購入の場合、該共同購入者全員の商品が一括して通い函に収納される。
【００２７】
一方、前記連合会のホストコンピュータに入力された各組合員のカタログ注文情報は、連合会において各組合員ごとに蓄積されて、例えば１週間単位の各商品カタログ発送日ごとに、前記カタログ注文情報がＭＯに入力される。前記ＭＯは、前記商品カタログ、商品のお届け明細書、請求書、振込用紙等を一括してラッピングするラッピングシステムの制御用パソコンにセットされ、該パソコンからオンラインで前記ＭＯの入力情報が前記ラッピングシステムの作動を制御する制御装置へ出力される。
【００２８】
前記ラッピングシステムは、各商品カタログをＭＯに入力された情報に従って各組合員ごとにそれぞれ選択して搬送ラインでフィルムラッピング機まで搬送し、その間にオプションカタログ、連合会が販売促進用に配布する商品カタログ、各会員生協ごとに発行された内容の異なるカタログ、次回のカタログおよび商品を注文するＯＣＲ用紙、請求書、振込用紙および商品のお届け明細書のうち必要な書類を、各組合員ごとに搬送ラインで移送中において、各書類順に該搬送ライン上にシュートさせて前記各書類を重合し、該重合した各組合員ごとの書類をフィルムでラッピングして、配送センターごとに複数冊（２０冊程度）を一体に結束して、コンベアを介して出荷ベースに排出するよう構成されている。
【００２９】
図３は、前記カタログ等の必要書類を選択してラッピングするフィルム・ラッピングラインの概略説明図である。このフィルム・ラッピングラインにおける各書類をセットする丁合機、該丁合機にセットされたカタログ・ＯＣＲ用紙１等の書類を制御装置の指令により、各組合員ごとに搬送ライン８０にシュートさせる手段、フィルム・ラッピング機および結束機はいずれも従来公知のものを使用する。
【００３０】
図３において、符号５１〜７５はいずれも丁合機であり、８０は搬送ライン、８１はフィルム・ラッピング機、８２は制御装置、８３は結束機、８４は出荷バースである。
【００３１】
図３において、丁合機５１〜５３は、前記「Ｋｉｎａｒｉ」・「ＹＵＭ  ＹＵＭ」および「マイキッチン」の３種類の商品カタログをそれぞれセットするものであり、丁合機５４〜５６はオプションカタログ（本実施の形態では２種類）をセットするものであり、また丁合機５７〜６５は、連合会の販売促進用として全組合員に配布される他社および連合会のカタログをセットするものである。
【００３２】
更に、丁合機６６〜６９は、各会員生協ごとに発行された内容が異なるカタログをセットするものである。
【００３３】
そして、丁合機７０〜７２は、前記商品カタログ「Ｋｉｎａｒｉ」・「ＹＵＭ  ＹＵＭ」および「マイキッチン」に、それぞれ対応した３種類のＯＣＲ用紙１をセットするものであり、丁合機７３〜７５は、請求書、振込用紙および商品のお届け明細書をそれぞれセットするものである。
【００３４】
前記３台の丁合機７０〜７２にそれぞれセットされる３種類のＯＣＲ用紙１は、連合会のホストコンピュータに更新蓄積されたカタログ情報に基づいて、予め前記所定事項が印刷表示されて連続シート状に折畳まれて、前記３種類の商品カタログの題号別にそれぞれセットされる。そして、ラッピングされた商品カタログ等の必要書類は、各配送センターごとに２０袋程度を一体に結束し、整理仕分けが容易にできるようにするため、前記ＯＣＲ用紙１はコース記入部１１に記入された各コースごとに、且つ配送順番に従って、更に共同購入の場合、該共同購入者が連続するよう、カタログ注文情報を入力蓄積した連合会のホストコンピュータからの情報により、印刷会社において連続用紙に順に印刷作成される。
【００３５】
また、商品のお届け明細書１００は、例えば図４に示すように印刷表示される。シート１０１の表題部１０２に「お届け明細書」と印刷表示される共に、商品の配達日１０３を印刷表示する。その外に、組合員氏名、住所、組合員番号、グループ名、配送センター名、コース番号、頁等を記載する必要事項記載欄１０４に所定事項を印刷表示すると共に、シート１０１の上方部に組合員番号がバーコード１０５として印刷表示され、且つ前記必要事項記載欄１０４の下方部に配送商品記載欄１０６が設けられている。前記配送商品記載欄１０６は、注文番号、区分商品名、数量、単価金額と合計金額が印刷表示できるよう形成されている。前記商品のお届け明細書１００は、商品注文情報を入力蓄積した連合会のホストコンピュータからの情報により、予め印刷会社において印刷作成される。
【００３６】
そして、前記シート１０１の左方部には、最終頁であるか否かを確認するためのバーコード１０７が印刷表示されているが、商品のお届け明細書１００が複数枚に亘る場合に、最終頁のみには最終頁であることを示すバーコード１０７が印刷表示されており、バーコードリーダーで最終頁であることを読取るよう構成されている。そして、前記のように、最終頁より前の頁にもバーコード１０７は印刷されているが、それは最終頁であることを示すバーコードではなく、バーコードリーダーは最終頁として読取らないよう構成されている。また、商品のお届け明細書１００が１枚の場合、１枚でも最終頁であるので、前記同様、最終頁であることを示すバーコード１０７が印刷表示されている。
【００３７】
更に、請求書１１０は、例えば図５に示すように印刷表示される。シート１１１の上方中央の表題部１１２に「ご請求書」と印刷表示され、且つ前記シート１１１の右上方部に組合員番号がバーコード１１３として印刷表示されると共に、ページ１１４が印刷表示される。そして、前記表題部１１２の下方の諸事項記入欄１１５に、組合員の住所・氏名記入部１１６、組合員番号記入部１１７、グループ名記入部１１８、配送センター名記入部１１９、請求年月日記入部１２０、支払期限と支払方法記入部１２１および当月の利用額等の支払明細記入部１２２が設けられ、それぞれ必要事項が印刷表示される。
【００３８】
前記諸事項記入欄１１５の下方には、請求明細記入欄１２３が設けられ、且つ該請求明細記入欄１２３に利用明細記入部１２４と、購入金額記入部１２５が設けられ、それぞれ必要事項が印刷表示される。
【００３９】
そして、前記シート１１１の左方部には、最終頁であるか否かを確認するためのバーコード１２６が印刷表示されているが、請求書１１０が複数枚に亘る場合に、最終頁のみには最終頁であることを示すバーコード１２６が印刷表示されており、バーコードリーダーで最終頁であることを読取るよう構成されている。そして、前記のように、最終頁より前の頁にもバーコード１２６は印刷されているが、それは最終頁であることを示すバーコードではなく、バーコードリーダーは最終頁として読取らないよう構成されている。また、請求書１１０が１枚の場合、１枚でも最終頁であるので、前記同様、最終頁であることを示すバーコード１２６が印刷表示されている。前記請求書１１０は、商品注文情報を入力蓄積した連合会のホストコンピュータからの情報により、予め印刷会社において印刷作成される。
【００４０】
更に、振込用紙１５０は、例えば図６に示すように印刷表示される。シート１５１の中央より下方に切り取り用のミシン線１５２が設けられて郵便振込用紙１５３が印刷されている。前記郵便振込用紙１５３は、郵政事業庁が定めた様式で作成されたものであり、払込取扱票および払込金受領証のいずれにも、口座番号および払込金額が印刷表示されると共に、加入者名記入欄１５４に送金受取人である会員生協名１５５が印刷表示され、通信欄１５６には、組合員番号１５７が印刷表示され、払込人住所・氏名欄１５８には組合員の住所・氏名がそれぞれ印刷表示されている。
【００４１】
また更に、前記シート１５１の右側上方には組合員番号がバーコード１６０として印刷表示されると共に、該シート１５１の左方部には、最終頁であることを示すバーコード１６１が印刷表示されている。振込用紙１５０は、前記商品のお届け明細書１００および請求書１１０と異なり、１枚しか発行されないので、各振込用紙１５０には最終頁であることを示すバーコード１６１が必ず印刷表示されることになる。なお、前記振込用紙１５０を受取った各組合員は、前記ミシン線１５２に沿って郵便振込用紙１５３を切り離して、郵便局に持参して送金する。前記振込用紙１５０は、商品注文情報を入力蓄積した連合会のホストコンピュータからの情報により、予め印刷会社において印刷作成される。ただし、金融機関への自動振込を利用する組合員の分は作成されない。
【００４２】
そして、連合会のホストコンピュータには、各組合員より提出されたＯＣＲ用紙１の情報が、商品注文情報およびカタログ注文情報として更新蓄積され、そのうちのカタログ注文情報が、各商品カタログ発送日ごとにＭＯに入力される。そして、前記ＭＯはラッピングシステムの制御用パソコンにセットされ、該パソコンからオンラインで前記ラッピングシステムの制御装置へ出力されて、前記各丁合機５１〜７５を含むすべてのラッピングラインを制御する。
【００４３】
先ず、丁合機５１〜５３にそれぞれセットされた「Ｋｉｎａｒｉ」・「ＹＵＭ  ＹＵＭ」・「マイキッチン」の３種類のカタログのうち、組合員がカタログ選択欄１１で選択した１つの商品カタログを、各組合員ごと制御装置８２からの指令により丁合機から搬送ライン８０上にシュートし、次に前方へ移送した前記商品カタログ上に、オプションカタログ選択欄１２で選択されておれば、そのカタログが丁合機５４〜５６から制御装置８２の指令により、搬送ライン８０上にシュートされ、オプションカタログを選択していない場合は、そのまま通過する。
【００４４】
次に、前記前方へ移送されている最上段のカタログ上に、連合会が販売促進用として他社および連合会のカタログを、丁合機５７〜６５から制御装置８２の指令により、各組合員ごと搬送ライン８０上にシュートし、既に搬送されている前記最上段のカタログ上に重合する。
【００４５】
その後、丁合機６６〜６９から制御装置８２の指令により、各会員生協ごとに発行され、その各組合員に送付するカタログを搬送ライン８０上にシュートする。なお、前記各カタログをセットする各丁合機５１〜６９は、セットするカタログがない場合は、その丁合機は不使用となる。
【００４６】
前記各会員生協ごとの各組合員に必要なカタログを搬送ライン８０上にシュートして重合した後、制御装置８２の指令により丁合機７０〜７２から、各組合員ごとに次回の商品およびカタログ注文に使用するＯＣＲ用紙１を搬送ライン８０上の前記カタログ上にシュートする。
【００４７】
すなわち、前記各丁合機７０〜７２には、各組合員が所望する３種類のカタログである「Ｋｉｎａｒｉ」・「ＹＵＭ  ＹＵＭ」・「マイキッチン」に対応するＯＣＲ用紙１がそれぞれセットされるが、前記したように前記ＯＣＲ用紙１には、会員番号がバーコード１０として印刷表示されているので、前記搬送ライン８０にシュートされて各重合して搬送されている最上段のカタログ上に、前記丁合機７０〜７２のいずれかから、所定のＯＣＲ用紙１をシュートすると、前記搬送ライン８０上に該搬送ライン８０と平行に設置されたバーコードリーダー（図示せず）が、前記組合員のバーコード１０を読取り、制御装置８２へ該組合員用のＯＣＲ用紙１が搬送ライン８０上にシュートされたことを発信し、前記情報を得た制御装置８２の指令信号により次工程の請求書１１０の搬送ライン８０上へのシュートの準備を指示する。その間、前記搬送ライン８０は停止せず作動を続ける。
【００４８】
次に、制御装置８２の指令により丁合機７３〜７５から、各組合員ごとに請求書１１０・振込用紙１５０および商品のお届け明細書１００を搬送ライン８０上の前記ＯＣＲ用紙１上にシュートして重合する。なお、前記請求書１１０および振込用紙１５０は月末の週のみに発送するものであって、それ以外にはこれら請求書１１０および振込用紙１５０の発送はない。また、組合員の支払方法が、金融機関を通しての口座振込を選択している場合は、振込用紙１５０の発送はない。更に、前記請求書１１０、振込用紙１５０および商品のお届け明細書１００は、前記したように商品注文情報を入力蓄積した連合会のホストコンピュータからの情報により、予め印刷会社において、搬送ライン８０へ各組合員毎に順番にシュートできるよう連続用紙に印刷作成される。
【００４９】
前記丁合機７３には、請求書１１０がセットされるが、前記したように請求書１１０には、組合員番号がバーコード１１３で印刷表示されているので、前記搬送ライン８０にシュートされて各重合して搬送されているカタログとＯＣＲ用紙１上に、該丁合機７３から連続用紙に印刷表示された請求書１１０を切離してシュートすると、前記搬送ライン８０上に該搬送ライン８０と平行に設置されたバーコードリーダー（図示せず）が、前記組合員のバーコード１１３を読取り、制御装置８２へ該組合員用の請求書１１０が搬送ライン８０上にシュートされたことを発信し、前記情報を得た制御装置８２の指令信号により次工程の振込用紙１５０の搬送ライン８０上へのシュートの準備を指示する。その間、前記搬送ライン８０は停止せず作動を続ける。
【００５０】
更に、前記請求書１１０には、最終頁であるか否かを確認するためのバーコード１２６が印刷表示されているので、前記搬送ライン８０にシュートされて各重合して搬送されている最上段のＯＣＲ用紙１に、丁合機７３から請求書１１０をシュートすると、前記組合員のバーコード１１３をバーコードリーダーが読取ると共に、搬送ライン８０と直角に設置されている最終頁読取り用のバーコードリーダー（図示せず）が、該最終頁のバーコード１２６を読取る。請求書１１０が複数枚であっても、搬送ライン８０はそのまま停止することなく作動を続ける。
【００５１】
もし、請求書１１０が複数枚に亘る場合は、最終頁より前の頁に印刷表示されたバーコード１２６は最終頁を示すバーコードではないため、前記バーコードリーダーが読取ることができないので、前記搬送ライン８０は最終頁であることを示すバーコード１２６をバーコードリーダーが読取るまで、同一組合員への複数枚の請求書１１０が搬送ライン８０上に続けてシュートされることになる。そして、前記請求書１１０が、例えば３枚の場合、３枚の請求書１１０を作動を続けている搬送ライン８０上に1枚ずつシュートするのに要する時間は瞬時であるので、その間搬送ライン８０は作動を続けていても支障はない。
【００５２】
なお、前記請求書１１０の枚数が４枚以上多数枚に亘る場合は、搬送ライン８０上に４枚目以降はシュートできないと制御装置８２が判断し、前記搬送ライン８０は停止する。その時は、手で４枚目以降の請求書１１０を既にシュートされた３枚目の請求書１１０上に載置し、然る後、リセットボタン（図示せず）を押して搬送ライン８０を作動させる。そして、前記請求書１１０は、前記したように月末の週のみにセットされ、それ以外の週はセットされないため、該請求書１１０をセットする丁合機７３は不使用となる。
【００５３】
次に、前記丁合機７４には、振込用紙１５０がセットされるが、前記したように振込用紙１５０には、組合員番号がバーコード１６０で印刷表示されているので、前記搬送ライン８０にシュートされて各重合して搬送されている最上段の請求書１１０（月末の週以外はＯＣＲ用紙１）上に、該丁合機７４から振込用紙１５０をシュートすると、前記搬送ライン８０上に該搬送ライン８０と平行に設置されたバーコードリーダー（図示せず）が、前記組合員のバーコード１６０を読取り、制御装置８２へ該組合員用の振込用紙１５０が搬送ライン８０上にシュートされたことを発信し、前記情報を得た制御装置８２の指令信号により次工程の商品のお届け明細書１００の搬送ライン８０上へのシュートの準備を指示する。その間、前記搬送ライン８０は停止せず作動を続ける。
【００５４】
更に、前記振込用紙１５０には、最終頁であることを示すバーコード１６１が印刷表示されている。通常、振込用紙１５０が複数枚に亘ることはないので、該振込用紙１５０のバーコード１６１はすべて最終頁であることを示すバーコードである。そして、前記振込用紙１５０を丁合機７４から搬送ライン８０上にシュートすると、前記組合員のバーコード１６０をバーコードリーダーが読取ると共に、搬送ライン８０と直角に設置されている最終頁読取り用のバーコードリーダー（図示せず）が、該最終頁のバーコード１６１を読取る。前記のように、振込用紙１５０は１枚しか発行されないので、該振込用紙１５０は搬送ライン８０にシュートされると共に、該搬送ライン８０はそのまま停止することなく作動を続ける。なお、前記振込用紙１５０は、前記したように月末の週のみにセットされ、それ以外の週はセットされないため、該振込用紙１５０をセットする丁合機７４は不使用となる。
【００５５】
前記丁合機７５には、商品のお届け明細書１００がセットされるが、前記したように商品のお届け明細書１００には、組合員番号がバーコード１０５で印刷表示されているので、前記搬送ライン８０にシュートされて各重合して搬送されているカタログ、ＯＣＲ用紙１、請求書１１０、振込用紙１５０（なお、請求書１１０および振込用紙１５０は、月末の週のみに発行される）上に、該丁合機７５から商品のお届け明細書１００をシュートすると、前記搬送ライン８０上に該搬送ライン８０と平行に設置されたバーコードリーダー（図示せず）が、前記組合員のバーコード１０５を読取り、制御装置８２へ該組合員用の商品のお届け明細書１００が搬送ライン８０上にシュートされたことを発信し、前記情報を得た制御装置８２の指令信号により次工程のラッピングの準備を指示する。その間、前記搬送ライン８０は停止せず作動を続ける。
【００５６】
更に、前記商品のお届け明細書１００には、最終頁であるか否かを確認するためのバーコード１０７が印刷表示されているので、前記搬送ライン８０にシュートされて各重合して搬送されているカタログ、ＯＣＲ用紙１、請求書１１０および振込用紙１５０上に、丁合機７５から商品のお届け明細書１００を搬送ライン８０にシュートすると、前記バーコード１０７をバーコードリーダーが読取ると共に、バーコードリーダー（搬送ライン８０と直角に設置されている）（図示せず）が、該最終頁のバーコード１０７を読取る。商品のお届け明細書１００が複数枚であっても、搬送ライン８０はそのまま停止することなく作動する。
【００５７】
もし、商品のお届け明細書１００が複数枚に亘る場合は、最終頁より前の頁に印刷表示されたバーコード１０７は最終頁を示すバーコードではないため、前記バーコードリーダーでは読取ることができないので、前記制御装置８２の指令により搬送ライン８０は停止し、該搬送ライン８０は最終頁であることを示すバーコード１０７をバーコードリーダーで読取るまで、同一組合員への複数枚の商品のお届け明細書１００が搬送ライン８０上に続けてシュートされることになる。そして、前記商品のお届け明細書１００が、例えば３枚の場合、３枚の商品のお届け明細書１００を作動を続けている搬送ライン８０上に1枚ずつシュートするのに要する時間は瞬時であるので、その間搬送ライン８０は作動を続けていても支障はない。
【００５８】
なお、前記商品のお届け明細書１００の枚数が４枚以上多数枚に亘る場合は、搬送ライン８０上に４枚目以降はシュートできないと制御装置８２が判断し、前記搬送ライン８０は停止する。その時は、手で４枚目以降の商品のお届け明細書１００を既にシュートされた３枚目の商品のお届け明細書１００上に載置し、然る後、リセットボタン（図示せず）を押して搬送ライン８０を作動させる。
【００５９】
前記商品カタログ、ＯＣＲ用紙１等の送付書類が、商品のお届け明細書１００を最後（最上部に重合される）として、各組合員ごとに重合されると、送付書類の重合作業は完了し、該重合された送付書類は各組合員ごと一括してフィルム・ラッピング機８１においてラッピングされて封入される。
【００６０】
そして、前記各組合員ごとにラッピングされた送付書類の袋は、同一配送センターのものが連続してラッピング機８１より排出されるので、特に限定する必要はないが、好ましくは２０袋程度がまとめて結束機８３により結束される。前記結束された袋は、搬送ライン８０を介して出荷バース８４に移送され、配送センターごとに仕分けされて、各配送センターへ運搬される。
【００６１】
なお、共同購入の場合は、各共同購入の各共同購入のグループ会員のＯＣＲ用紙１および商品のお届け明細書１００等が、各組合員ごとに連続して搬送ライン８０上にシュートされるので、共同購入のグループ会員の各袋が、制御装置８２の指令により、ラッピング機８１に付属して配設されたのり付け機（図示せず）によりのり付けされて各袋を一体として、結束機８３により結束される。そして、前記結束された袋は、搬送ライン８０を介して出荷ベース８４に移送され、配送センターごとに仕分けされて、各配送センターへ運搬される。
【００６２】
【発明の効果】
本発明は上述のようであるから、ＯＣＲリード機で読取り可能に形成されたＯＣＲ用紙、並びに商品のお届け明細書、請求書および振込用紙には、それぞれ組合員番号がバーコード表示されているので、前記各書類を同時にラッピングする際、バーコードリーダーが前記バーコードを読取り、ラッピングに当たって、他人の書類が封入される虞れはなく、また、商品のお届け明細書、請求書および振込用紙には、それぞれ最終頁であるか否かを確認するバーコードが表示されているので、前記商品のお届け明細書および請求書が複数枚に亘っても、バーコードリーダーが最終頁であることを読取るまで、ラッピングシステムの搬送ライン上に前記商品のお届け明細書、請求書および振込用紙が、各組合員が所望する商品カタログと共に、それぞれ搬送ライン上に各組合員ごとに、正確に、且つ確実にシュートされて重合し、フィルムラッピング機で一括してラッピングされるので、多数の組合員が所属する生活協同組合連合会のカタログ情報および商品注文情報を正確に管理することができると共に、カタログ、ＯＣＲ用紙、商品のお届け明細書、請求書および振込用紙の仕分け作業が簡単、正確、且つ迅速にできるので、コストの低減につながる等、極めて優れた効果を奏するのである。
また、前記ＯＣＲ用紙には、共同購入者であることを表示するグループ名記入部が備えられているため、ラッピングした袋を共同購入者会員分を一括して結束することができる。
【図面の簡単な説明】
【図１】本発明生活協同組合の組合員に送付する商品カタログ、ＯＣＲ用紙、商品のお届け明細書、請求書および振込用紙のフィルム・ラッピングシステムにおいて使用するＯＣＲ用紙の表面図である。
【図２】同裏面図である。
【図３】本発明生活協同組合の組合員に送付する商品カタログ、ＯＣＲ用紙、商品のお届け明細書、請求書および振込用紙のフィルム・ラッピングシステムにおける搬送ラインの概略説明図である。
【図４】本発明生活協同組合の組合員に送付する商品カタログ、ＯＣＲ用紙、商品のお届け明細書、請求書および振込用紙のフィルム・ラッピングシステムにおいて使用する商品のお届け明細書の表面図である。
【図５】本発明生活協同組合の組合員に送付する商品カタログ、ＯＣＲ用紙、商品のお届け明細書、請求書および振込用紙のフィルム・ラッピングシステムにおいて使用する請求書の表面図である。
【図６】本発明生活協同組合の組合員に送付する商品カタログ、ＯＣＲ用紙、商品のお届け明細書、請求書および振込用紙のフィルム・ラッピングシステムにおいて使用する振込用紙の表面図である。
【符号の説明】
１  ＯＣＲ用紙、  ３  発行号、  ４  提出日、  ５  配達日、  ７  氏名記入部、  ８  配送セットセンター名記入部、  １０  バーコード、  １１  コース記入部、  １２  グループ名記入部、  １３  組合員番号記入部、  １４  カタログ選択欄、  １７  生協記入欄、  ２２  商品注文欄、  ２３  追加商品注文欄、  ５１〜７５  丁合機、  ８０  搬送ライン、  ８１  フィルム・ラッピング機、  ８２  制御装置、  ８３  結束機、  １００  商品のお届け明細書、  １０５  組合員番号のバーコード、  １０７  最終頁確認用のバーコード、  １１０  請求書、  １１３  組合員番号のバーコード、  １２６  最終頁確認用バーコード、  １５０  振込用紙、  １６０  組合員番号のバーコード、  １６１  最終頁確認用バーコード。
【図１】
0003542791.tif 000002
【図２】
0003542791.tif 000003
【図３】
0003542791.tif 000004
【図４】
0003542791.tif 000005
【図５】
0003542791.tif 000006
【図６】
0003542791.tif 000007